(57)【特許請求の範囲】
【請求項１】
装置本体と、
上記装置本体へ倒伏した第１姿勢及び上記装置本体から起立した第２姿勢に回動される回動体と、
上記回動体の表面に設けられており、上記表面側からの押し操作に応じた信号を出力する被操作部と、
上記表面と反対側の上記回動体の裏面に一端が連結されたアームと、
上記装置本体に設けられており、上記アームの他端に設けられた挿入部が挿入された長孔を有しており、当該長孔が延びる第１方向に沿って上記挿入部を移動可能に保持する保持部と、
上記第１方向において互いに離間されており、上記長孔に突出して上記挿入部の移動を制止する第３姿勢、及び上記長孔から退避した第４姿勢にそれぞれ姿勢変化な複数の第１爪と、
複数の上記第１爪を上記第３姿勢側へ付勢する複数の付勢部材と、を備えており、
一の上記付勢部材は、一の上記第１爪を付勢するものである操作装置。
【請求項２】
上記第１爪は、
上記第１爪が突出する第２方向及び上記第１方向に沿う断面において、上記第１方向に沿う仮想直線に対して傾斜し、上記第１姿勢から上記第２姿勢への上記回動体の回動において上記挿入部が摺接する第１面と、
上記断面において上記仮想直線に対して傾斜し、上記第２姿勢から上記第１姿勢への上記回動体の回動において上記挿入部が摺接する第２面と、を有しており、
上記断面における上記仮想直線と上記第１面とがなす角度のうち鋭角側の第１角度は、上記断面における上記仮想直線と上記第２面とがなす角度のうち鋭角側の第２角度よりも小さいものである請求項１に記載の操作装置。
【請求項３】
上記第１爪が突出する第２方向において上記第１爪と対向し、上記第３姿勢、及び上記第４姿勢にそれぞれ姿勢変化な複数の第２爪を更に備えており、
一の上記第２爪は、一の上記第１爪と対向するものである請求項１又は２に記載の操作装置。
【請求項４】
上記回動体から上記装置本体へ延出されたハーネスを更に備えており、
上記アームは、上記ハーネスよりも上記回動体の回動先端側に設けられており、上記ハーネスを覆うものである請求項１から３のいずれかに記載の操作装置。
【請求項５】
上記被操作部は、タッチパネルである請求項１から４のいずれかに記載の操作装置。
【発明の詳細な説明】
【技術分野】
【０００１】
本発明は、回動により装置本体から起こされた回動体をチルト機構により支持する操作装置に関する。
【背景技術】
【０００２】
従来より、回動により装置本体から起こされた回動体をチルト機構により支持する操作装置が知られている（特許文献１参照）。この操作装置のチルト機構は、タッチパネル体（回動体）に設けられたラッチ部材と、本体（装置本体）に設けられた板バネとにより構成されている。ラッチ部材は、タッチパネル体の回動方向に沿って延びる外周面と、この外周面から凹んだ複数の凹溝とを有している。板バネは、この凹溝に嵌る爪部を有している。この爪部は、タッチパネル体が操作装置のユーザにより回動されると、板バネの弾性変形により凹溝から外れ、次いで、隣の凹溝に嵌る。タッチパネル体は、爪部がいずれかの凹溝に嵌ることにより、回動角度の異なる各姿勢においてチルト機構に支持される。
【先行技術文献】
【特許文献】
【０００３】
【特許文献１】特開２００９−１０５５５７号公報
【発明の概要】
【発明が解決しようとする課題】
【０００４】
タッチパネル体の姿勢には、ユーザにとって押し易い姿勢が含まれる。このような姿勢においては、大きな力でタッチパネル体が押されることが想定される。よって、入力操作時にタッチパネル体が回動してしまうおそれがある。また、タッチパネル体を押し倒して元の姿勢に戻す際に、タッチパネル体が押し易い姿勢になると、ユーザは、保持が弱くなったと感じてしまう。そうすると、ユーザは、操作感が悪いと感じてしまう。
【０００５】
押し易い姿勢のみタッチパネル体の保持を強くすることが考えられる。特許文献１に記載された操作装置において、特定の凹溝のみ形状を変え、特定の姿勢のみタッチパネル体の保持を強くすることが考えられる。しかしながら、各凹溝には同一の爪部が嵌るので、爪部との嵌合が緩くなる凹溝が生じることになる。そうすると、タッチパネル体がぐらついてしまう。このように、特許文献１に記載された操作装置では、特定の姿勢のみタッチパネル体の保持を強くすることは困難であり、入力操作時にタッチパネル体が回動してしまうという問題や、操作感が悪いと感じてしまう問題を解決することは難しかった。
【０００６】
本発明は、前述された事情に鑑みてなされたものであり、その目的とするところは、回動体の姿勢に応じて、回動体の保持を強くしたり弱くしたりできる手段を提供することにある。
【課題を解決するための手段】
【０００７】
(1)  本発明の操作装置は、装置本体と、上記装置本体へ倒伏した第１姿勢及び上記装置本体から起立した第２姿勢に回動される回動体と、上記回動体に設けられており、上記装置本体側への押し操作を受け付ける被操作部と、上記回動体に設けられたアームと、上記アームに設けられた挿入部が挿入された長孔を有しており、当該長孔が延びる第１方向に沿って上記挿入部を移動可能に保持する保持部と、上記第１方向において互いに離間されており、上記長孔に突出して上記挿入部の移動を制止する第３姿勢、及び上記長孔から退避した第４姿勢にそれぞれ姿勢変化な複数の第１爪と、複数の上記第１爪を上記第３姿勢側へ付勢する複数の付勢部材と、を備えている。一の上記付勢部材は、一の上記第１爪を付勢している。
【０００８】
第１姿勢にある回動体が操作装置のユーザにより装置本体から起こされると、回動体の回動により、アームの挿入部は第１方向に沿って移動される。移動される挿入部は、第３姿勢にある第１爪を付勢部材の付勢力に抗して押し、第４姿勢に姿勢変化させる。移動された挿入部が第１爪から外れると、第４姿勢にあった第１爪は、付勢部材の付勢力により、第３姿勢に戻される。挿入部は、一乃至複数の第１爪を姿勢変化させながら、長孔内を移動される。移動された挿入部は、第３姿勢に戻された第１爪に当接することにより、この第１爪を付勢する付勢部材の付勢力の範囲内において、保持される。挿入部が保持されたアームにより、回動体は、第１姿勢と第２姿勢との間の一乃至複数の姿勢、及び第２姿勢の各姿勢において、支持される。
【０００９】
(2)  上記第１爪は、上記第１爪が突出する第２方向及び上記第１方向に沿う断面において、上記第１方向に沿う第１仮想直線に対して傾斜し、上記第１姿勢から上記第２姿勢への上記回動体の回動において上記挿入部が摺接する第１面と、上記断面において上記第１仮想直線に対して傾斜し、上記第２姿勢から上記第１姿勢への上記回動体の回動において上記挿入部が摺接する第２面と、を有していてもよい。上記断面における上記第１仮想直線と上記第１面とがなす角度のうち鋭角側の第１角度は、上記断面における上記第１仮想直線と上記第２面とがなす角度のうち鋭角側の第２角度よりも小さくされている。
【００１０】
回動体が装置本体から起こされると、アームの挿入部は、第１面に摺接しながら第１爪を第３姿勢から第４姿勢に姿勢変化させ、長孔内を移動する。回動体が装置本体へ押し倒されると、アームの挿入部は、第２面に摺接しながら第１爪を第３姿勢から第４姿勢に姿勢変化させ、長孔内を移動する。第１面の第１角度が第２面の第２角度よりも小さくされたことにより、回動体を装置本体から起こすときに必要な力が、回動体を押し倒すときに必要な力よりも小さくなる。その結果、操作装置の操作感が良くなる。
【００１１】
(3)  本発明の操作装置は、上記第１爪が突出する第２方向において上記第１爪と対向し、上記第３姿勢、及び上記第４姿勢にそれぞれ姿勢変化な複数の第２爪を更に備えており、一の上記第２爪は、一の上記第１爪と対向するものであってもよい。
【００１２】
回動体が装置本体から起こされると、挿入部は、第１爪と第２爪との一方を主に姿勢変化させて長孔内を移動する。回動体が装置本体へ押し倒されると、挿入部は、第１爪と第２爪との他方を主に姿勢変化させて長孔内を移動する。よって、回動体を装置本体から起こすときに必要な力を、回動体を押し倒すときに必要な力よりも小さくすることができ、操作装置の操作感が良くなる。
【００１３】
(4)  本発明の操作装置は、上記回動体から上記装置本体へ延出されたハーネスを更に備えており、上記アームは、上記ハーネスよりも上記回動体の回動先端側に設けられており、上記ハーネスを覆うものであってもよい。これにより、ハーネスは、アームにより隠される。
【００１４】
(5)  上記被操作部として、タッチパネルが挙げられる。
【発明の効果】
【００１５】
本発明によれば、回動体の各姿勢にそれぞれ対応して第１爪及び付勢部材が設けられているので、回動体の姿勢ごとに、回動体の保持を強くしたり弱くしたりできる。
【図面の簡単な説明】
【００１６】
【図１】図１は、複合機１０の斜視図である。
【図２】図２は、チルト機構４０の背面側の斜視図である。
【図３】図３は、支持体５０の一部の斜視図である。
【図４】図４は、第２支持部材１００の斜視図である。
【図５】図５は、第１爪６１及び第２爪６４が第４姿勢にあるときに第２支持部材１００の斜視図である。
【図６】図６は、第１爪６１の縦断面図である。
【図７】図７は、回動体３０の動作を説明する動作説明図であって、プリンタ部１１の縦断面図である。
【図８】図８は、チルト機構４０の動作を説明する動作説明図であって、支持体５０の斜視図である。
【図９】図９は、第１爪６１及び第２爪６４の動作を説明する動作説明図であって、支持体５０の斜視図である。
【発明を実施するための形態】
【００１７】
以下、本発明の実施形態について説明がされる。なお、本実施形態は本発明の一例にすぎず、本発明の要旨を変更しない範囲で本実施形態を適宜変更できることは言うまでもない。本実施形態では、複合機１０を使用可能に設置した図１の状態を基準として上下方向７が定義されている。また、ユーザが入力操作を行う操作装置１３が設けられた側を複合機１０の前側として前後方向８が定義されている。また、複合機１０を前側から見て左右方向９が定義されている。
【００１８】
図１に示されるように、複合機１０は、プリンタ部１１と、プリンタ部１１の上に載置されたスキャナ部１２とを備えており、プリント、スキャン、コピー等を実行可能である。プリンタ部１１の筐体１４内には、制御基板（不図示）が配置されている。この制御基板には、プリンタ部１１及びスキャナ部１２の動作を制御するマイクロコンピュータが実装されている。このマイクロコンピュータには、パーソナルコンピュータなどの他の機器や、操作装置１３から信号が入力される。マイクロコンピュータは、入力された信号により、プリンタ部１１及びスキャナ部１２を動作させる。以下、操作装置１３について詳細な説明がされる。
【００１９】
［操作装置１３］
図１に示されるように、操作装置１３はプリンタ部１１の上面側に設けられている。操作装置１３は、前後方向８における長さがプリンタ部１１の前後方向８における長さよりも短くなるように構成されており、プリンタ部１３の前部に配置されている。また、操作装置１３は、左右方向９におけるプリンタ部１１の左右両端に渡る幅に構成されている。
【００２０】
操作装置１３は、プリンタ部１１の筐体１４の一部を構成する操作パネル２０（装置本体に相当する）と、操作パネル２０に回動可能に支持された回動体３０と、操作パネル２０から起こされた回動体３０を支持するチルト機構４０（図２）とを備えている。
【００２１】
［操作パネル２０］
図１に示されるように、操作パネル２０は、筐体１４の上壁を構成するカバー２１と、カバー２１の下側に配置された操作基板（不図示）と、操作基板に載置されたキー部材２４、２５とを備える。
【００２２】
［カバー２１］
カバー２１は、左右方向９におけるプリンタ部１１の両端に渡る幅の矩形板状の外形を呈しており、左右方向９における中央部に、回動体３０が嵌る収容凹部２２を有している。左右方向９における収容凹部２２の両側に、キー部材２４、２５を露出させる複数個の第１露出窓２３が設けられている。
【００２３】
［操作基板及びキー部材２４、２５］
２つの操作基板（不図示）がカバー２１の下側に配置されている。一方の操作基板は、カバー２１の収容凹部２２の左右方向９における左側に配置されている。他方の操作基板は、カバー２１の収容凹部２２の左右方向９における右側に配置されている。操作基板は、不図示のケーブルにより、制御基板と電気的に接続されている。
【００２４】
操作基板の上面には、電気回路パターンにより、一対の電極が構成されている。一対の電極は、キー部材２４、２５のキー部２４Ａ、２５Ａの個数に対応する数だけ設けられている。一対の電極は、後述のキー部材２４、２５により導通又は開放される。
【００２５】
キー部材２４、２５は、操作基板に載置されたシート部（不図示）と、このシート部から上向きへ突出された複数個のキー部２４Ａ、２５Ａとを備えている。キー部２４Ａ、２５Ａは、カバー２１の第１露出孔２３に嵌っており、ユーザによる押し操作を受け付ける。キー部２４Ａ、２５Ａは、操作基板に設けられた一対の電極に接離可能な導電部（不図示）をそれぞれ有している。キー部２４Ａ、２５Ａがユーザにより押されると、導電部は、一対の電極に当接し、一対の電極を導通させる。つまり、一対の電極と導電部とにより、スイッチが構成されている。このスイッチからの信号は、ケーブルを介してマイクロコンピュータに入力される。
【００２６】
［回動体３０］
図１に示される回動体３０は、カバー２１の収容凹部２２に嵌め込み可能なケース３１と、ケース３１に保持されたタッチパネル３６とを備えている。ケース３１は、扁平な直方体状の外形を呈している。収容凹部２２に嵌った状態（図７（Ａ））におけるケース３１の上面である第３面３２には、タッチパネル３６を露出させる第２露出窓３４が開口されている。
【００２７】
図７（Ａ）に示されるように、ケース３１は、左右方向９（紙面に垂直な方向）における左右両側面から突出された一対の第１回動軸３５を有している。第１回動軸３５は、中心軸線が左右方向９に一致する円柱状に構成されている。また、第１回動軸３５は、図７（Ａ）における前端部に設けられている。第１回動軸３５は、後述される支持体５０に設けられた第１軸受（不図示）に支持されている。回動体３０は、第１回動軸３５及び第１軸受により、第１回動軸３５の中心軸線周りに回動可能に操作パネル２０に支持されている。回動体３０は、第１回動軸３５の中心軸線周りに回動されることにより、収容凹部２２に嵌った図７（Ａ）の第１姿勢から、図７（Ｂ）の第１中間姿勢及び図７（Ｃ）の第２中間姿勢を経て、図７（Ｄ）の第２姿勢になる。同様に、回動体３０は、第２姿勢から、第２中間姿勢及び第１中間姿勢を経て、第１姿勢に回動される。
【００２８】
図２に示されるケース３１は、チルト機構４０のアーム４１の第２回動軸（不図示）を回動可能に支持する第２軸受（不図示）を有している。この第２軸受において、ケース３１は、第３面３２（図７（Ａ））の裏面である第４面３３側に配置されたアーム４１と連結されている。また、回動体３０は、図７（Ａ）に示されるハーネス１５により制御基板と電気的に接続されている。ハーネス１５は、第２軸受が設けられた位置よりも回動基端部に近い位置において、回動体３０と接続されている。これは、アーム４１によってハーネス１５を隠すためである。ハーネス１５には、左右方向９における回動体３０の幅よりも小さい幅のフレキシブルフラットケーブルが使用されている。
【００２９】
［チルト機構４０］
図２に示されるように、チルト機構４０は、回動体３０に設けられたアーム４１と、操作パネル２０に設けられた支持体５０と、を備えている。
【００３０】
［アーム４１］
アーム４１は、強度を確保し、且つハーネス１５を隠せるように、左右方向９における回動体３０の左右両端に渡る幅の板状に構成されている。図７（Ａ）に示されるように、アーム４１は、回動体３０が第１姿勢にあるときには、ケース３１の第４面３３へ倒伏している。
【００３１】
アーム４１は、左右方向９における左右両側面から突出された一対の第２回動軸（不図示）を有している。この第２回動軸は、中心軸線が左右方向９に一致する円柱状の外形を呈している。第２回動軸は、図７（Ａ）に示される状態においてアーム４１の前端部となる位置に設けられている。第２回動軸は、ケース３１に設けられた上述の第２軸受（不図示）により保持されている。つまり、アーム４１は、第２回動軸において回動体３０と連結されている。アーム４１は、図７（Ａ）〜（Ｄ）に示されるように、回動体３０が操作パネル２０から起こされると、第２回動軸の軸線周りに回動され、ケース３１の第４面３３から起き上がる。
【００３２】
図８（Ｂ）に示されるように、アーム４１は、左右方向９における左右両側面から突出された一対の挿入部４２を有している。なお、図２においては、挿入部４２と、後述される第１爪６１〜６３及び第２爪６４〜６６との図示が省略されている。
【００３３】
図８（Ａ）〜（Ｃ）に示されるように、挿入部４２は、中心軸線が左右方向９に一致するほぼ円柱状の外形を呈している。挿入部４２は、図７（Ａ）の状態においてアーム４１の後端部となる位置に設けられている。図８（Ａ）〜（Ｃ）に示されるように、挿入部４２は、支持体５０に設けられた長孔５５、１０１に挿入されており、長孔５５、１０１が延びる前後方向８（第１方向に相当する）に沿って移動可能に支持体５０に保持されている。
【００３４】
［支持体５０］
支持体５０は、図２に示される第１支持部材５１及び第２支持部材１００と、図４に示される第１爪６１〜６３及び第２爪６４〜６６と、付勢部材８１〜８３とを備えている。後述されるように、第１爪６１〜６３及び第２爪６４〜６６は、アーム４１の挿入部４２（図８）の移動を制止するものであり、付勢部材８１〜８３は、第１爪６１〜６３を付勢するものである。支持体５０は、左右方向９において左右対称な形状に構成されている。よって、以下では、図に示されている支持体５０の右側の構成について主に説明がされる。
【００３５】
図２に示される第１支持部材５１は、カバー２１の収容凹部２２内に配置されている。第１支持部材５１は、収容凹部２２の底部を構成する矩形板状の基部５２と、左右方向９における収容凹部２２の左右の側壁を構成する左側壁５３、右側壁５４と、を備えている。詳細には、左側壁５３は、左右方向９における基部５２の左端部から上向きへ突出されている。右側壁５４は、左右方向９における基部５２の右端部から上向きへ突出されている。
【００３６】
基部５２は、ハーネス１５（図７）が挿通された不図示の貫通孔を有している。この貫通孔は、ハーネス１５と回動体３０との接続位置に合わせ、前後方向８における基部５２の前部であって、且つ左右方向９における基部５２の中央部に設けられている。
【００３７】
左側壁５３及び右側壁５４には、回動体３０の第１回動軸３５（図７（Ａ））を支持する第１軸受部（不図示）がそれぞれ設けられている。第１軸受部は、前後方向８における左側壁５３及び右側壁５４の前端部に設けられている。回動体３０は、第１支持部材５１に回動可能に支持されている。
【００３８】
右側壁５４は、アーム４１の挿入部４２が挿入される第１の長孔５５を備えている。第１の長孔５５は、左右方向９において右側壁５４を貫通している。第１の長孔５５は、図７（Ａ）の状態にあるアーム４１の挿入部４２が位置する位置から前後方向８における前方へ向かって延びている。回動体３０が操作パネル２０から起こされると、アーム４１の挿入部４２（図８）は、前後方向８における前方へ向かって第１の長孔５５内を移動される。
【００３９】
図８（Ａ）に示されるように、上下方向７における第１の長孔５５の長さは、円柱状の挿入部４２の直径よりも長い。これは、図９（Ａ）、（Ｂ）に示されるように、下側の第１爪６１と上側の第２爪６４との両方を完全に第１の長孔５５から退避させなくても挿入部４２が第１の長孔５５内を移動できるようにするためである。詳しくは後述される。
【００４０】
右側壁５４には、左右方向９における右側面から凹んだ６個の凹部（不図示）が設けられている。この６個の凹部は、後述される第２支持部材１００に設けられた６個の凹部７１〜７６（図４）と左右方向９において向かい合う対称な形状に構成されている。凹部７１〜７６の構成が後で詳細に説明されるので、右側壁５４に設けられた６個の凹部の構成については、説明が省略される。
【００４１】
図８（Ａ）に示されるように、右側壁５４は、第２支持部材１００が嵌め込まれた取付凹部５６を有している。取付凹部５６は、左右方向９における第１の長孔５５の右側に、左右方向９における右側面から凹んで設けられている。第１支持部材５１に第２支持部材１００が取り付けられるのは、支持体５０の組立において、第１支持部材５１の右側壁５４に設けられた上述の凹部（不図示）と凹部７１〜７６とにより構成された６個の空間内に第１爪６１〜６３、第２爪６４〜６６及び付勢部材８１〜８３（図４）を配置するためである。
【００４２】
［第２支持部材１００］
第２支持部材１００は、第１支持部材５１の取付凹部５６に嵌め込まれ、接着剤等により第１支持部材５１に固定されている。第２支持部材１００は、第１支持部材５１に設けられた第１の長孔５５と左右方向９において重なる第２の長孔１０１を有している。第２の長孔１０１は、第１の長孔５５と同形状に構成されており、アーム４１の挿入部４２が挿入されている。このように、第１支持部材５１と第２支持部材１００とにより、挿入部４２を保持する保持部が構成されている。
【００４３】
図４に示されるように、第２支持部材１００は、第２の長孔１０１の下側に設けられた３個の凹部７１〜７３と、第２の長孔１０１の上側に設けられた３個の凹部７４〜７６とを備えている。凹部７１と第１支持部材５１の右側壁に設けられた不図示の凹部とにより構成される空間には、第１爪６１及び付勢部材８１が嵌め込まれている。凹部７２と第１支持部材５１の右側壁に設けられた不図示の凹部とにより構成される空間には、第１爪６２及び付勢部材８２が嵌め込まれている。凹部７３と第１支持部材５１の右側壁に設けられた不図示の凹部とにより構成される空間には、第１爪６３及び付勢部材８３が嵌め込まれている。凹部７４と第１支持部材５１の右側壁に設けられた不図示の凹部とにより構成される空間には、第２爪６４が嵌め込まれている。凹部７５と第１支持部材５１の右側壁に設けられた不図示の凹部とにより構成される空間には、第２爪６５が嵌め込まれている。凹部７６と第１支持部材５１の右側壁に設けられた不図示の凹部とにより構成される空間には、第２爪６６が嵌め込まれている。
【００４４】
凹部７１は、前後方向８における第２の長孔１０１の後面より前側に設けられている。凹部７１は、第２の長孔１０１の後面と、後述の第１爪６１とで挿入部４２を挟めるように、長孔１０１の後面から離間されている。凹部７２は、前後方向８における凹部７１より前側に設けられている。凹部７２は、後述の第１爪６１と第１爪６２とで挿入部４２を挟めるように、凹部７１から離間されている。凹部７３は、前後方向８における凹部７２より前側に設けられている。凹部７３は、後述の第１爪６２と第１爪６３とで挿入部４２を挟めるように、凹部７２から離間されている。また、凹部７３は、前後方向８における第２の長孔１０１の前面と第１爪６１とで挿入部を挟めるように、長孔１０１の前面から離間されている。
【００４５】
図４に示されるように、下側の凹部７１〜７３は全て同じ形状である。よって、以下では、凹部７１についてのみ説明がされる。凹部７１は、上部の幅狭部９１と、下部の幅広部９２とを有している。上部の幅狭部９１と下部の幅広部９２とは繋がっている。上部の幅狭部９１は、凹部７１に第１爪６１及び付勢部材８１を配置可能とするために、第２の長孔１０１の下面、及び左右方向９における第２支持部材１００の左側面において開口している。同様に、下部の幅広部９２は、第２支持部材１００の左側面において開口している。幅広部９２は、前後方向８における長さが前後方向８における幅狭部９１の長さよりも長くなる形状に設けられている。これにより、上部の幅狭部９１と下部の幅広部９２との接続部には、段部９３が構成されている。段部９３には、第１爪６１の鍔部１１１、１１２が当接し、後述されるように、凹部７１からの第１爪６１の脱落が防止される。
【００４６】
上側の凹部７４は、上下方向７において凹部７１と対向している。凹部７５は、上下方向７において凹部７２と対向している。凹部７６は、上下方向７において凹部７３と対向している。凹部７４〜７６は全て同じ形状である。よって、凹部７４についてのみ説明がされる。凹部７４は、上下方向７において凹部７１とほぼ対称な形状に形成されており、幅狭部９１及び幅広部９２を備えている。但し、配置される第２爪６４の形状に合わせ、前後方向８における凹部７４の幅狭部９１及び幅広部９２の長さは、前後方向８における凹部７１の幅狭部９１及び幅広部９２の長さよりも広くされている。
【００４７】
［第１爪６１〜６３］
図４に示される第１爪６１〜６３及び第２爪６４〜６６は、ポリプロピレン（ＰＰ）等よりも硬くて摩擦係数の小さいジュラコン（ＰＯＭ）などの合成樹脂材料により成型されている。第１爪６１〜６３は全て同じ形状であり、第２爪６４〜６５は全て同じ形状である。よって、以下では、第１爪６１、第２爪６４についてのみ説明がされる。
【００４８】
第１爪６１は、凹部７１の幅狭部９１を上下方向７において貫く棒状部１１０と、棒状部１１０の下端部に設けられて凹部７１の幅広部９２内にある前後一対の鍔部１１１、１１２とを備えている。鍔部１１１は、前後方向８における棒状部１１０の前面の下端部から前向きへ突出されている。鍔部１１２は、前後方向８における棒状部１１０の後面の下端部から後向きへ突出されている。
【００４９】
前後方向８における前側の鍔部１１１の前端と、後側の鍔部１１２の後端との間の距離は、前後方向８における幅狭部９１の長さよりも長く、前後方向８における幅広部９２の長さよりも短くされている。よって、第１爪６１が上向きへ移動されたとき、鍔部１１１、１１２は、凹部７１の段部９３に当接する。鍔部１１１、１１２が段部９３に当接することにより、凹部７１からの第１爪６１の脱落が防止される。
【００５０】
第１爪６１は、上下方向７にスムースに移動できるように構成されている。詳細には、第１爪６１の棒状部１１０の前後方向８における長さは、凹部７１の幅狭部９１の前後方向８における長さよりも僅かに短くされている。また、前後方向８における前側の鍔部１１１の前端と後側の鍔部１１２の後端との間の距離は、凹部７１の幅広部９２の前後方向８における長さよりも僅かに短くされている。よって、第１爪６１は、上下方向７に沿って移動する際に傾くことがなく、上下方向７へ沿ってスムースに移動できる。
【００５１】
第１爪６１は、上下方向７に沿って移動することにより、長孔５５、１０１へ突出する図４の第３姿勢と、長孔５５、１０１から退避する図５の第４姿勢とになる。図４に示されるように、第１爪６１の鍔部１１１、１１２は、第３姿勢において、凹部７１の段部９３に当接している。
【００５２】
上下方向７における第１爪６１の長さは、長孔５５、１０１内におけるアーム４１の挿入部４２の移動を制止可能な長さにされている。詳細には、図４に示されるように、上下方向７における第１爪６１の長さは、第３姿勢において、突出の先端が上下方向７における長孔５５、１０１の中間よりも僅かに下となるようにされている。
【００５３】
図６には、アーム４１の挿入部４２が移動する方向である前後方向８及び第１爪６１が突出する方向である上下方向７（第２方向に相当する）に沿う断面が示されている。図６に示されるように、第１爪６１の棒状部１１０は、上へ向かうにつれて先端部６７を細くする第１面６８及び第２面６９を備えている。第１面６８は、前後方向８における棒状部１１０の後面側に設けられている。第２面６９は、前後方向８における棒状部１１０の前面側に設けられている。
【００５４】
アーム４１の挿入部４２は、第１姿勢にある回動体３０（図７（Ａ））が操作パネル２０（図１）から起こされるときに第１面６８に摺接し、第１中間姿勢にある回動体３０（図７（Ｂ））にある回動体３０が第１姿勢に戻されるときに第２面６９に摺接する。第１面６８及び第２面６９は、回動体３０を操作パネル２０から容易に起こすことができ、且つ、回動体３０を各姿勢において確実に保持できるような角度に設けられている。以下詳細な説明がされる。
【００５５】
図６に示される断面において、第１面６８は、挿入部４２が移動する前後方向８に沿う仮想直線１１５と、第１角度α１で交差している。第１角度α１は、仮想直線１１５と第１面６８との交差角度のうち、鋭角となる方の角度である。また、図６に示される断面において、第２面６９は、仮想直線１１５と第２角度α２で交差している。第２角度α２は、仮想直線１１５と第２面６９との交差角度のうち、鋭角となる方の角度である。第１角度α１が第２角度α２より小さくなるように、第１面６８及び第２面６９は設けられている。このような角度に設けられることにより、回動体３０を操作パネル２０から容易に起こすことができ、且つ、回動体３０を各姿勢において確実に保持できる。詳しくは後述される。
【００５６】
また、先端部６７は、アーム４１の挿入部４２が当該先端部で止まらないように、円弧状に設けられている。
【００５７】
［第２爪６４〜６６］
図４に示されるように、第２爪６４は、上下方向７において第１爪６１とほぼ対称となる形状に構成されている。但し、前後方向８における第２爪６４の棒状部の長さは、凹部７４に合わせ、前後方向８における第１爪６１の棒状部１００の長さよりも長くされている。同様に、前後方向８における第２爪６４の鍔部１１１の前端と、鍔部１１２の後端との間の距離は、第１爪６１のそれよりも長くされている。よって、第２爪６４は、第１爪６１と同様に、上下方向７に沿ってスムースに移動することができる。第２爪６４は、上下方向７に沿う移動により、長孔５５、１０１に突出する第３姿勢（図４）、長孔５５、１０１から退避する第４姿勢（図５）となる。図４に示されるように、第３姿勢にある第２爪６４の鍔部１１１、１１２は、凹部７４の段部９３に当接している。
【００５８】
図４に示されるように、長孔５５、１０１に突出する第３姿勢において、第２爪６４の突出の先端（下端）は、上下方向７における長孔５５、１０１の中間よりも僅かに上となる位置にある。よって、第２爪６４は、第１爪６１と干渉することなく姿勢変化可能である。第３姿勢にある第１爪６１の突出の先端と、第３姿勢にある第２爪６４の突出の先端（下端）との間の隙間の大きさは、この隙間をアーム４１の挿入部４２が通過できないように決めされている。よって、第１爪６１、第２爪６４が第３姿勢にあるときは、アーム４１の挿入部４２は、第１爪６１、第２爪６４に当接し、長孔５５、１０１内を移動できない。
【００５９】
［付勢部材８１〜８３］
付勢部材８１〜８３には、コイルバネが用いられている。付勢部材８１は、軸方向を上下方向７に一致させ、凹部７１の幅広部９２内に配置されている。付勢部材８１は、上端が第１爪６１の下端に当接し、下端が幅広部９２の下面に当接し、且つ圧縮状態で幅広部９２に配置されている。付勢部材８１は、圧縮により生じる弾性力により、第１爪６１を上向きへ付勢している。上向きへ付勢された第１爪６１は、長孔５５、１０１へ突出した第３姿勢となっている。同様に、凹部７２に配置された付勢部材８２は、第１爪６２を上向きへ付勢している。凹部７３に配置された付勢部材８３は、第１爪６３を上向きへ付勢している。
【００６０】
付勢部材８１〜８３には、それぞれ異なるバネ定数のコイルバネが用いられている。これは、後述されるように、チルト機構４０が回動体３０を保持する強さを回動体３０の姿勢ごとに変えるためである。詳細には、付勢部材８１には、付勢部材８２よりもバネ定数の大きなコイルバネが用いられている。付勢部材８２には、付勢部材８３よりもバネ定数の大きなコイルバネが用いられている。チルト機構４０が各姿勢において回動体３０を保持する強さについては、後述される。
【００６１】
第２爪６４〜６６に対しては、付勢部材は設けられていない。これは、付勢部材の代わりに重力を利用するからである。後述されるように、第４姿勢にある第２爪６４〜６６は、自重により下方へ向かって移動し、第３姿勢になる。
【００６２】
［チルト機構４０の動作］
図７、８、９を参照してチルト機構４０の動作が説明される。図７（Ａ）に示されるように、回動体３０が収容凹部２２に嵌った第１姿勢にある場合、アーム４１は、回動体３０の第２面３３へ倒伏している。このとき、図８（Ａ）に示されるように、アーム４１の挿入部４２は、長孔５５、１０１の前後方向８における後面に当接する位置にある。一方、第１爪６１〜６３は、付勢部材８１〜８３の弾性力により上向きへ付勢され、長孔５５、１０１へ突出する第３姿勢にある。また、第２爪６４〜６６は、自重により、長孔５５、１０１へ突出する第３姿勢となっている。アーム４１の挿入部４２は、第３姿勢にある第１爪６１、第２爪６４と、長孔５５、１０１の後面とに挟まれている。
【００６３】
回動体３０が図７（Ａ）の第１姿勢から図７（Ｂ）に示される第１中間姿勢となる向きへユーザにより回動されると、アーム４１の挿入部４２（図８（Ａ））は、前後方向８における前方へ向かって移動される。移動される挿入部４２は、第１爪６１の第１面６８（図６）及び第２爪６４の第１面６８に摺接し、図９（Ａ）に示されるように、第１爪６１を下方へ押し下げ、第２爪６４を上方へ押し上げる。
【００６４】
上述されたように、アーム４１の挿入部４２の直径は、長孔５５、１０１の上下方向７における長さよりも小さくされているので、挿入部４２は、第１爪６１、第２爪６４の両方を完全に長孔５５、１０１から退避させなくとも、長孔５５、１０１内を移動することができる。第１姿勢から第１中間姿勢となる向きへの回動においては、アーム４１には、前方斜め上へ向かう向きの力が加えられている。よって、第１姿勢から第１中間姿勢となる向きへの回動体３０の回動においては、挿入部４２は、長孔５５、１０１の上面側を移動される。したがって、図９（Ａ）に示されるように、第２爪６４は、挿入部４２により長孔５５、１０１から完全に退避され、第１爪６１は、突出の先端部（上端部）が長孔５５、１０１に突出した状態まで下方へ押し下げられる。
【００６５】
このように、挿入部４２は、第１爪６１、第２爪６４を姿勢変化させながら、前方へ向かって移動される。回動体３０が第１中間姿勢になると（図７（Ｂ））、図８（Ｂ）に示されるように、アーム４１の挿入部４２は、第１爪６２、第２爪６５に当接する。そうすると、第１爪６１は、付勢部材８１の付勢力により上向きへ移動され、第３姿勢に戻される。一方、第２爪６４は、自重により下方へ向かって移動し、第３姿勢に戻る。アーム４１の挿入部４２は、第３姿勢にある第１爪６１、６２及び第２爪６４、６５により挟まれる。回動体３０が第１中間姿勢にある状態においてユーザにより入力操作がされると、入力操作による負荷は、アーム４１の挿入部４２が当接する第１爪６１及び第２爪６４により受けられる。
【００６６】
同様に、図７（Ｂ）の第１中間姿勢にある回動体３０が図７（Ｃ）の第２中間姿勢に姿勢変化されると、アーム４１の挿入部４２は、第１爪６２及び第２爪６５を姿勢変化させ、第１爪６３及び第２爪６６に当接する位置まで移動する。第２中間姿勢において、アーム４１の挿入部４２は、第３姿勢にある第１爪６２、６３及び第３姿勢にある第２爪６５、６６により挟まれる。回動体３０が第２中間姿勢にある状態においてユーザにより入力操作がされると、入力操作による負荷は、アーム４１の挿入部４２が当接する第１爪６２及び第２爪６５により受けられる。
【００６７】
同様に、図７（Ｃ）の第２中間姿勢にある回動体３０が図７（Ｄ）の第２姿勢に姿勢変化されると、アーム４１の挿入部４２は、第１爪６３及び第２爪６６を姿勢変化させ、前後方向８における長孔５５、１０１の前面に当接する位置まで移動する。図８（Ｃ）に示されるように、第２姿勢において、アーム４１の挿入部４２は、前後方向８における長孔５５、１０１の前面と、第３姿勢にある第１爪６３及び第３姿勢にある第２爪６６とにより挟まれる。回動体３０が第２姿勢にある状態においてユーザにより入力操作がされると、入力操作による負荷は、アーム４１の挿入部４２が当接する第１爪６３及び第２爪６６により受けられる。
【００６８】
次に、図７（Ｂ）に示される第１中間姿勢にある回動体３０がユーザにより押し倒されて図７（Ａ）に示される第１姿勢に戻される際のチルト機構４０の動作について説明がされる。
【００６９】
図８（Ｂ）に示されるように、回動体３０が第１中間姿勢にあるとき、アーム４１の挿入部４２は、第１爪６１、６２及び第２爪６４、６５に挟まれている。第１中間姿勢にある回動体３０がユーザにより押し倒されると、アーム４１の挿入部４２は、前後方向８における後方へ向かって移動される。移動される挿入部４２は、第１爪６１の第２面６８（図６）及び第２爪６４の第２面６８に摺接し、図８（Ｂ）に示されるように、第１爪６１を下方へ押し下げ、第２爪６４を上方へ押し上げる。
【００７０】
第１中間姿勢から第１姿勢となる向きへの回動においては、アーム４１には、後方斜め下へ向かう向きの力が加えられている（図７（Ｂ））。よって、第１中間姿勢から第１姿勢となる向きへの回動においては、挿入部４２は、長孔５５、１０１の下面側を移動する。よって、図９（Ｂ）に示されるように、第１爪６１は、長孔５５、１０１から完全に退避され、第２爪６４は、突出の先端部（下端部）が長孔５５、１０１に突出した状態まで上方へ押し上げられる。
【００７１】
このように、アーム４１の挿入部４２は、第１爪６１、第２爪６４を姿勢変化させながら後方へ向かって移動される。回動体３０が図７（Ａ）に示される第１姿勢になると、図８（Ａ）に示されるように、アーム４１の挿入部４２は、前後方向８における長孔５５、１０１の後面に当接する。そうすると、第１爪６１は、付勢部材８１の付勢力により上向きへ移動され、第３姿勢に戻される。一方、第２爪６４は、自重により下方へ向かって移動し、第３姿勢に戻る。
【００７２】
同様に、図７（Ｄ）の第２姿勢にある回動体３０が、図７（Ｃ）の第２中間姿勢に姿勢変化される場合、アーム４１の挿入部４２は、第１爪６４及び第２爪６６を姿勢変化させ、第１爪６２及び第２爪６５に当接する位置まで後方へ向かって移動する。図７（Ｃ）の第２中間姿勢にある回動体３０が、図７（Ｂ）の第１中間姿勢に姿勢変化される場合、アーム４１の挿入部４２は、第１爪６２及び第２爪６５を姿勢変化させ、第１爪６１及び第２爪６４に当接する位置まで後方へ向かって移動する。
【００７３】
［実施形態の効果］
上述のように、第１中間姿勢にある回動体３０は、挿入部４２が第１爪６１及び第２爪６４を姿勢変化させることにより、第１姿勢となることができる。よって、第１爪６１が付勢部材８１の付勢力に抗して姿勢変化されない限り、また、第２爪６４が重力に抗して姿勢変化されない限り、第１中間姿勢にある回動体３０はチルト機構４０により保持される。第２中間姿勢及び第２姿勢においても同様である。上述されたように、第１爪６１〜６３は同じ形状であり、また、第２爪６４〜６６は同じ形状である。よって、付勢部材８１〜８３のバネ定数が相違すると、チルト機構４０が回動体３０を保持する強さが、回動体３０の姿勢ごとに相違することになる。つまり、本実施形態の操作装置１３は、バネ定数の相違する付勢部材８１〜８３を用いるだけで、チルト機構４０が回動体３０を保持する強さを、回動体３０の姿勢ごとに変えることができる。
【００７４】
上述されたように、付勢部材８１のバネ定数は、付勢部材８２のバネ定数よりも大きく、付勢部材８２のバネ定数は、付勢部材８３のバネ定数よりも大きい。よって、チルト機構４０による回動体３０の保持は、第２姿勢よりも第２中間姿勢の方が強く、第２中間姿勢よりも第１中間姿勢の方が強い。ここに、操作装置１３は、プリンタ部１１の上面側に設けられているので、ユーザは、第２姿勢にあるときも第２中間姿勢にあるときの方が回動体３０を押し易く、第２中間姿勢にあるときよりも第１中間姿勢にあるときの方が回動体３０を押し易い。よって、本実施形態では、ユーザが押し易い姿勢に回動体３０があるときほど、チルト機構４０による回動体３０の保持が強い。したがって、操作入力時に回動体３０が倒れ込むことを抑制することができる。また、ユーザが回動体３０を押し倒す際に、チルト機構４０による回動体３０の保持が回動体３０の姿勢によって変化すると感じることがなく、操作感が良い。
【００７５】
また、上述されたように、回動体３０がユーザにより操作パネル２０から起こされる場合、アーム４１の挿入部４２は、第１爪６１〜６３の第１面６８及び第２爪６４〜６６の第１面６８に摺接する。一方、回動体３０がユーザにより押し倒される場合、アーム４１の挿入部４２は、第１爪６１〜６３の第２面６９及び第２爪６４〜６６の第２面６９に摺接する。上述されたように、第１面６８が仮想直線１１５と公差する第１角度α１は、第２面６９が仮想直線１１５と公差する第２角度α２よりも小さい。よって、回動体３０を操作パネル２０から起こすときは、回動体３０を操作パネル２０へ押し倒すときよりも、小さい力で回動体３０を回動させることができる。したがって、本実施形態の操作装置１３は、チルト機構４０における回動体３０の保持の強さを変えることなく、回動体３０を操作パネル２０から起こすときに必要な力を小さくして、ユーザによる回動体３０の回動操作を容易にすることができる。
【００７６】
上述されたように、回動体３０が操作パネル２０から起こされる場合、アーム４１の挿入部４２は、主に第２爪６４〜６６を姿勢変化させて移動する。回動体３０が操作パネル２０へ押し倒される場合、アーム４１の挿入部４２は、主に第１爪６１〜６３を姿勢変化させて移動する。よって、本実施形態の操作装置１３は、チルト機構４０における回動体３０の保持の強さを変えることなく、回動体３０を操作パネル２０から起こすときに必要な力を小さくして、ユーザによる回動体３０の回動操作を容易にすることができる。
【００７７】
また、上述されたように、アーム４１は、左右方向９における回動体３０の左右両端に渡る幅に構成されており、ハーネス１５は、アーム４１と回動体３０との連結部よりも回動体３０の回動基端部に近い位置において回動体３０と連結されている。よって、回動体３０を操作パネル２０から起こしたときは、アーム４１によりハーネス１５が隠される。その結果、アーム４１によりハーネス１５をユーザ等から保護することができ、且つ外観が良くなる。
【００７８】
［変形例］
上述の実施形態では、複合機１０に設けられた操作装置１３が説明された。しかしながら、操作装置１３は、プリンタや複写機やファックスなどの他の画像記録装置に設けられていてもよい。また、操作装置１３は、インターホンシステムや、給湯システムや、照明システムや、太陽光発電システムなど、住宅やオフィスに用いられる種々のシステムの操作端末として用いられてもよい。この場合、操作装置１３は、台などに載置され、または、住宅やオフィスの壁などに設置される。
【００７９】
また、上述の実施形態では、アーム４１が回動体３０と回動可能に連結された構成が説明された。しかしながら、アーム４１は、回動体３０と一体に設けられていてもよい。この場合、アーム４１の挿入部４２は、回動体３０の第１回動軸３５の中心軸線周りに回動されるので、長孔５５、１０１は、円弧状に延びるように設けられる。挿入部４２は、上述の実施形態と同様に、第１爪６１〜６３及び第２爪６４〜６６により保持される。よって、アーム４１が回動体３０と一体に設けられていても、上述の実施形態と同じ効果を得ることができる。
【００８０】
また、上述の実施形態では、第１爪６１〜６３に加え、第２爪６４〜６６が設けられた構成が説明された。しかしながら、第２爪６４〜６６が設けられない構成とすることもできる。第２爪６４〜６６が設けられない構成においても、付勢部材８１〜８３にバネ定数の相違するものを用いることにより、チルト機構４０が回動体３０を保持する強さを回動体３０の姿勢ごとに変えることができる。
【００８１】
また、上述の実施形態では、第２爪６４〜６６は、付勢部材により付勢されていない構成が説明された。しかしながら、凹部７４〜７６にも付勢部材を配置し、この付勢部材により第２爪６４〜６６を下向きへ付勢する構成とすることもできる。この場合、第２爪６４〜６６を付勢する３個の付勢部材のバネ定数を相違させることにより、チルト機構４０が回動体３０を保持する強さを回動体３０の姿勢ごとに変えることができる。つまり、第２爪６４〜６６が第１爪となる。よって、この場合は、第１爪６１〜６３が設けられなくともよい。別言すると、第１爪６１〜６３は、長孔５５、１０１の上側に設けられてもよい。
【００８２】
また、上述の実施形態では、第１爪６１〜６３及び第２爪６４〜６６が、スライドにより長孔５５、１０１から退避される構成が説明された。しかしながら、第１爪６１〜６３及び第２爪６４〜６６が、回動により長孔５５、１０１から退避される構成を採用することもできる。この構成では、第１爪６１〜６３及び第２爪６４〜６６は、アーム４１の挿入部４２に押されることにより押し倒され、長孔５５、１０１から退避される。
【００８３】
また、上述の実施形態では、操作装置１３が複合機１０の上面側に配置された構成が説明された。しかしながら、操作装置１３は、複合機１０の前面側に配置されていてもよい。この場合、ユーザは、回動体３０が操作パネル２０から起こされるほど、回動体３０を押し易くなる。よって、付勢部材８１には、付勢部材８２よりもバネ定数の小さいコイルバネを使用し、付勢部材８２には、付勢部材８３よりもバネ定数の小さいコイルバネを使用する。そうすることにより、回動体３０は、ユーザが押し易い姿勢になるほど、チルト機構４０により、強く保持される。
【００８４】
また、上述の実施形態では、付勢部材８１〜８３にコイルバネを用いた構成が説明された。しかしながら、付勢部材８１〜８３には、板バネ等の他のバネが用いられてもよい。
【符号の説明】
【００８５】
７・・・上下方向（第２方向）
８・・・前後方向（第１方向）
１０・・・複合機
１３・・・操作装置
１５・・・ハーネス
２０・・・操作パネル（装置本体）
３０・・・回動体
３６・・・タッチパネル
４０・・・チルト機構
４１・・・アーム
４２・・・挿入部
５０・・・支持体
５１・・・第１支持部材（保持部）
５５・・・第１の長孔
６１〜６３・・・第１爪
６４〜６６・・・第２爪
６８・・・第１面
６９・・・第２面
８１〜８３・・・付勢部材
１００・・・第２支持部材（保持部）
１０１・・・第２の長孔
１１５・・・仮想直線
α１・・・第１角度
α２・・・第２角度
【図１】
0005776336.tif 000002
【図２】
0005776336.tif 000003
【図３】
0005776336.tif 000004
【図４】
0005776336.tif 000005
【図５】
0005776336.tif 000006
【図６】
0005776336.tif 000007
【図７】
0005776336.tif 000008
【図８】
0005776336.tif 000009
【図９】
0005776336.tif 000010